(57)【要約】【課題】イーサネットインタフェースのみを有するルータを用い、ＡＴＭ専用回線に障害が発生してもＩＳＤＮ回線等の他の回線に切り換えてバックアップルートとし、通信ルートを容易に確保できる利便性の高いＡＴＭターミナルアダプタを提供する。【解決手段】仮想チャネルであるＡＴＭ専用回線ＬＡに発生した障害を検出し、他の回線を構成するＩＳＤＮ回線ＬＩに接続を切り換えて通信ルートをバックアップするとともに、ＡＴＭ専用回線ＬＡの障害の復旧を検出し、通信ルートを他の回線を構成するＩＳＤＮ回線ＬＩからＡＴＭ専用線ＬＡに切り換える通信ルート切換手段５を備える。【選択図】　図１
2004096480.tif 000002
【特許請求の範囲】
【請求項１】
ＬＡＮに接続されたルータをＡＴＭ専用回線に接続させるＡＴＭターミナルアダプタであって、
前記ＡＴＭ専用回線に発生した障害を検出し、他の回線に接続を切り換えて通信ルートをバックアップするとともに、前記ＡＴＭ専用回線の障害の復旧を検出し、通信ルートを前記他の回線から前記ＡＴＭ専用線に切り換える通信ルート切換手段を備えたことを特徴とするＡＴＭターミナルアダプタ。
【請求項２】
前記通信ルート切換手段は、前記ＡＴＭ専用回線のレイヤ１の状態を監視するレイヤ１監視手段と、前記レイヤ１監視手段から供給される監視信号に基づいて通信ルートを切り換えるルート変更手段と、を備えたことを特徴とする請求項１記載のＡＴＭターミナルアダプタ。
【請求項３】
前記通信ルート切換手段は、前記ＡＴＭ専用回線にＯＡＭセルを送信し、受信するＯＡＭセル監視手段と、前記ＯＡＭセル監視手段から供給される監視信号に基づいて通信ルートを切り換えるルート変更手段と、を備えたことを特徴とする請求項１記載のＡＴＭターミナルアダプタ。
【請求項４】
前記ＯＡＭセル監視手段は、ループバックセルを前記ＡＴＭ専用回線に送信し、前記ＡＴＭ専用回線からループバックセルを受信できない場合には、前記ＡＴＭ専用回線の障害を検出して監視信号を前記ルート変更手段に供給することを特徴とする請求項３記載のＡＴＭターミナルアダプタ。
【請求項５】
前記ＯＡＭセル監視手段は、ルート切替セルを前記ＡＴＭ専用回線に送信した後、通信ルートをＡＴＭ専用回線に切り換える切替信号を前記ルート変更手段に供給することを特徴とする請求項３記載のＡＴＭターミナルアダプタ。
【請求項６】
ＬＡＮに接続されたルータをＡＴＭ専用回線に接続させるＡＴＭターミナルアダプタの通信ルートバックアップ方法であって、
ＡＴＭ専用回線の障害を検出するステップ（Ｓ１）と、
通信ルートを他の回線に切り換えるステップ（Ｓ２）と、
他の回線で通信するステップ（Ｓ３）と、
ＡＴＭ専用回線の障害が復旧したか否かを判定するステップ（Ｓ４）と、
障害の復旧を検出するステップ（Ｓ５）と、
通信ルートをＡＴＭ専用回線に切り換えるステップ（Ｓ６）と、
を備えたことを特徴とするＡＴＭターミナルアダプタの通信ルートバックアップ方法。
【請求項７】
ＬＡＮに接続されたルータをＡＴＭ専用回線に接続させるＡＴＭターミナルアダプタの通信ルートバックアップ方法であって、
ＡＴＭ専用回線にループバックセルを送信するステップ（Ｐ１）と、
ループバックセルが受信されたか否かを判定するステップ（Ｐ２）と、
一定時間経過後、通信ルートを他の回線に切り換えるステップ（Ｐ３）と、
他の回線で通信するステップ（Ｐ４）と、
ループバックセルが受信されたか否かを判定するステップ（Ｐ５）と、
ルート切替セルを送信して通信ルートをＡＴＭ専用線に切り換えるステップ（Ｐ６）と、
を備えたことを特徴とするＡＴＭターミナルアダプタの通信ルートバックアップ方法。
【発明の詳細な説明】
【０００１】
【発明の属する技術分野】
本発明はＬＡＮ（Ｌｏｃａｌ　Ａｒｅａ　Ｎｅｔｗｏｒｋ）等の回線をルータを介してＡＴＭ（Ａｓｙｎｃｈｒｏｎｏｕｓ　Ｔｒａｎｓｆｅｒ　Ｍｏｄｅ）専用回線に接続するＡＴＭターミナルアダプタに係り、特にＡＴＭ専用回線に障害が発生した場合に、他の回線に切り換えて通信ルートをバックアップするＡＴＭターミナルアダプタに関する。
【０００２】
【従来の技術】
従来、ＡＴＭ専用回線を使用したルータ間接続の通信ルートを、ＡＴＭ回線に障害が発生した場合には、他の回線、例えばＩＳＤＮ回線交換網にバックアップするために、シリアルインタフェースを搭載したルータを用い、障害発生時には、シリアルインタフェースで発着信動作を行い、さらに障害用のルーティングテーブルを使用することで実行するものが知られている。
【０００３】
図１０に従来のＡＴＭ専用回線の回線バックアップシステムの構成図を示す。図１０において、回線バックアップシステム５０は、拠点ＡのＬＡＮ−１がルータ５１に接続され、ルータ５１は、Ｅｔｈｅｒｎｅｔ（登録商標：以下、イーサネットと呼称する。）接続ケーブルＣｂ１を介してＡＴＭ−ＴＡ（ターミナルアダプタ）５２に接続される。また、ＡＴＭ−ＴＡ５２は、ＡＴＭ網ＮＡに接続されており、拠点Ｂ側のＡＴＭ−ＴＡ５３とＡＴＭ専用回線ＬＡ（仮想チャネル）で接続される。
【０００４】
一方、拠点Ｂ側のＡＴＭ−ＴＡ５３は、拠点Ａ側と同様に、イーサネット接続ケーブルＣｂ２を介して拠点Ｂのルータ５４に接続され、ルータ５４には、拠点ＢのＬＡＮ−２が接続されている。
【０００５】
また、拠点Ａ側のルータ５１は、バックアップ用のシリアルポートからＶ．３５接続ケーブルＣｂＡでＩＳＤＮ−ＴＡ（ターミナルアダプタ）５５に接続され、ＩＳＤＮ−ＴＡ５５には、ＩＳＤＮ網ＮＩが接続される。
【０００６】
一方、拠点Ｂのルータ５４は、拠点Ａ側と同様に、バックアップ用のシリアルポートからＶ．３５接続ケーブルＣｂＢでＩＳＤＮ−ＴＡ（ターミナルアダプタ）５６に接続され、ＩＳＤＮ−ＴＡ５６には、ＩＳＤＮ網ＮＩが接続される。
【０００７】
次に、図１０に示す回線バックアップシステム５０のバックアップ動作について説明する。通常、拠点ＡのＬＡＮ−１内のホスト端末は、拠点ＢのＬＡＮ−２内のホスト端末と通信を行う際、拠点Ａのルータ５１→イーサネット接続ケーブルＣｂ１→ＡＴＭ−ＴＡ５２→ＡＴＭ専用回線ＬＡ（仮想チャネル）→ＡＴＭ−ＴＡ５３→イーサネット接続ケーブルＣｂ２→拠点Ｂ側のルータ５４の経路を辿って行う。
【０００８】
また、通信の際、ルータ５１は、ＡＴＭ−ＴＡ５２にパケットを送信するために、ルーティングテーブルで経路情報の検索が実行される。送信するパケットの送出先は、通常イーサネット接続ケーブルＣｂ１が接続されるポートであるため、このポートにパケットが転送され、前述の通信経路となる。
【０００９】
この状態から、ＡＴＭ網ＮＡに障害が発生した場合、ルータ５１は、イーサネットインタフェースのリンク断検出などでＡＴＭ網ＮＡの障害を検知し、搭載されたＶ．３５インタフェース側へ発呼手順を用い、Ｖ．３５接続ケーブルＣｂＡを介してＩＳＤＮ−ＴＡ５５を経由した通信ルートが形成される。
【００１０】
この際に検索するルーティングテーブルは、障害時用に別に設定されたものが使用されることになる。この時、拠点ＡのＬＡＮ−１内のホスト端末と拠点ＢのＬＡＮ−２内のホスト端末との通信ルートは、拠点Ａのルータ５１→Ｖ．３５接続ケーブルＣｂＡ→ＩＳＤＮ−ＴＡ５５→ＩＳＤＮ回線ＬＩ→ＩＳＤＮ−ＴＡ５６→Ｖ．３５接続ケーブルＣｂＢ→拠点Ｂ側のルータ５４の経路となる。
【００１１】
このように、ＡＴＭ専用回線を使用したルータ間接続の通信ルートは、ＩＳＤＮ回線を使用したルータ間接続の通信ルートに切り換えられ、ＡＴＭ専用回線の障害時のバックアップルートとすることにより、通信ルートのバックアップが確保される。
【００１２】
【発明が解決しようとする課題】
図１０に示す従来の回線バックアップシステム５０は、回線障害時にバックアップ回線に切り換えて通信ルートを確保させるためには、シリアルインタフェースを搭載したルータ５１，５４、またはシリアルインタフェースが搭載可能であるルータが不可欠条件となり、高価なルータを使用しなければならない課題がある。
【００１３】
したがって、イーサネットインタフェースのみを備えたルータでＡＴＭ専用回線のバックアップルートを確保することには、難しい課題がある。
【００１４】
また、ネットワーク管理者にとっては、ＡＴＭ専用回線に障害が発生した時に備え、別のルーティングテーブルを設定しなければならず、設定が複雑になるとともに、管理面ならびに運用面で多くの手間を要し、煩雑になる課題がある。
【００１５】
この発明はこのような課題を解決するためになされたもので、その目的はイーサネットインタフェースのみを有するルータを用い、ＡＴＭ専用回線に障害が発生してもＩＳＤＮ回線等の他の回線に切り換えてバックアップルートとし、通信ルートを容易に確保できる利便性の高いＡＴＭターミナルアダプタを提供することにある。
【００１６】
【課題を解決するための手段】
前記課題を解決するためこの発明に係るＡＴＭターミナルアダプタは、ＬＡＮに接続されたルータをＡＴＭ専用回線に接続させるＡＴＭターミナルアダプタであって、ＡＴＭ専用回線に発生した障害を検出し、他の回線に接続を切り換えて通信ルートをバックアップするとともに、ＡＴＭ専用回線の障害の復旧を検出し、通信ルートを他の回線からＡＴＭ専用線に切り換える通信ルート切換手段を備えたことを特徴とする。
【００１７】
また、この発明に係る通信ルート切換手段は、ＡＴＭ専用回線のレイヤ１の状態を監視するレイヤ１監視手段と、レイヤ１監視手段から供給される監視信号に基づいて通信ルートを切り換えるルート変更手段とを備えたことを特徴とする。
【００１８】
さらに、この発明に係る通信ルート切換手段は、ＡＴＭ専用回線にＯＡＭ（監視）セルを送信し、受信するＯＡＭセル監視手段と、ＯＡＭセル監視手段から供給される監視信号に基づいて通信ルートを切り換えるルート変更手段とを備えたことを特徴とする。
【００１９】
また、この発明に係るＯＡＭセル監視手段は、ループバックセルをＡＴＭ専用回線に送信し、ＡＴＭ専用回線からループバックセルを受信できない場合には、ＡＴＭ専用回線の障害を検出して監視信号をルート変更手段に供給することを特徴とする。
【００２０】
さらに、この発明に係るＯＡＭセル監視手段は、ルート切替セルをＡＴＭ専用回線に送信した後、通信ルートをＡＴＭ専用回線に切り換える切替信号をルート変更手段に供給することを特徴とする。
【００２１】
また、この発明に係るＡＴＭターミナルアダプタの通信ルートバックアップ方法は、ＬＡＮに接続されたルータをＡＴＭ専用回線に接続させるＡＴＭターミナルアダプタの通信ルートバックアップ方法であって、ＡＴＭ専用回線の障害を検出するステップ（Ｓ１）と、通信ルートを他の回線に切り換えるステップ（Ｓ２）と、他の回線で通信するステップ（Ｓ３）と、ＡＴＭ専用回線の障害が復旧したか否かを判定するステップ（Ｓ４）と、障害の復旧を検出するステップ（Ｓ５）と、通信ルートをＡＴＭ専用回線に切り換えるステップ（Ｓ６）とを備えたことを特徴とする。
【００２２】
さらに、この発明に係るＡＴＭターミナルアダプタの通信ルートバックアップ方法は、ＬＡＮに接続されたルータをＡＴＭ専用回線に接続させるＡＴＭターミナルアダプタの通信ルートバックアップ方法であって、ＡＴＭ専用回線にループバックセルを送信するステップ（Ｐ１）と、ループバックセルが受信されたか否かを判定するステップ（Ｐ２）と、一定時間経過後、通信ルートを他の回線に切り換えるステップ（Ｐ３）と、他の回線で通信するステップ（Ｐ４）と、ループバックセルが受信されたか否かを判定するステップ（Ｐ５）と、ルート切替セルを送信して通信ルートをＡＴＭ専用線に切り換えるステップ（Ｐ６）とを備えたことを特徴とする。
【００２３】
【発明の実施の形態】
以下、この発明の実施の形態を添付図面に基づいて説明する。図１はこの発明に係るＡＴＭターミナルアダプタが適用される回線バックアップシステムの全体構成図である。図１において、回線バックアップシステム１は、拠点ＡのＬＡＮ−１に接続するルータ２と、ルータ２とイーサネット接続ケーブルＣｂ１を介して接続するＡＴＭ網ＮＡのＡＴＭ−ＴＡ（ターミナルアダプタ）３と、拠点ＢのＬＡＮ−２に接続するルータ６と、ルータ６とイーサネット接続ケーブルＣｂ２を介して接続するＡＴＭ網ＮＡのＡＴＭ−ＴＡ（ターミナルアダプタ）４と、ＡＴＭ網ＮＡのバックアップ回線を形成する他の回線であるＩＳＤＮ網ＮＩに接続するＩＳＤＮ−ＴＡ（ターミナルアダプタ）７，ＩＳＤＮ−ＴＡ（ターミナルアダプタ）８とから構成する。
【００２４】
ＡＴＭ−ＴＡ（ターミナルアダプタ）３とＩＳＤＮ−ＴＡ（ターミナルアダプタ）７は、Ｖ．３５接続ケーブルＣｂ３で接続し、ＡＴＭ−ＴＡ（ターミナルアダプタ）４とＩＳＤＮ−ＴＡ（ターミナルアダプタ）８は、Ｖ．３５接続ケーブルＣｂ４で接続する。
【００２５】
なお、ルータ２およびルータ６は、イーサネットインタフェースのみを有し、それぞれイーサネット接続ケーブルＣｂ１，Ｃｂ２を介してＡＴＭ−ＴＡ（ターミナルアダプタ）３およびＡＴＭ−ＴＡ（ターミナルアダプタ）４に接続する構成が図１０に示す構成と基本的に異なる。また、ＡＴＭ−ＴＡ（ターミナルアダプタ）３およびＡＴＭ−ＴＡ（ターミナルアダプタ）４は、それぞれＩＳＤＮ−ＴＡ（ターミナルアダプタ）７およびＩＳＤＮ−ＴＡ（ターミナルアダプタ）８と、Ｖ．３５接続ケーブルＣｂ３，Ｃｂ４を介して接続する構成が図１０に示す構成と基本的に異なる。
【００２６】
ＡＴＭ−ＴＡ（ターミナルアダプタ）３およびＡＴＭ−ＴＡ（ターミナルアダプタ）４は、Ｖ．３５インタフェース手段および通信ルート切換手段５を備える。
【００２７】
通信ルート切換手段５は、仮想チャネルであるＡＴＭ専用回線ＬＡに発生した障害を検出し、他の回線を構成するＩＳＤＮ回線ＬＩに接続を切り換えて通信ルートをバックアップするとともに、ＡＴＭ専用回線ＬＡの障害の復旧を検出し、通信ルートを他の回線を構成するＩＳＤＮ回線ＬＩからＡＴＭ専用線ＬＡに切り換える。
【００２８】
通信ルート切換手段５が実行するＡＴＭ専用回線ＬＡの障害の検出方法には、次の２通りがある。１つ目の障害検出方法は、▲１▼：ＡＴＭ専用回線ＬＡのレイヤ１（物理層）の状態を監視することにより、レイヤ１断などの障害を検出する。また、２つ目の障害検出方法は、▲２▼：ＯＡＭ（監視）セルのループバックセルをＡＴＭ専用回線ＬＡに送信し、戻ってくるループバックセルが検出できない場合に、ＡＴＭ専用回線ＬＡのレイヤ１障害なども含む障害として検出する。
【００２９】
次に、図１に示す回線バックアップシステム１のバックアップ動作について説明する。まず、ＡＴＭ専用回線ＬＡが正常時、拠点ＡのＬＡＮ−１内のホスト端末と拠点ＢのＬＡＮ−２内のホスト端末とが通信を行う際、拠点Ａのルータ２→イーサネット接続ケーブルＣｂ１→ＡＴＭ−ＴＡ（ターミナルアダプタ）３→ＡＴＭ専用回線ＬＡ→ＡＴＭ−ＴＡ（ターミナルアダプタ）４→イーサネット接続ケーブルＣｂ２→拠点Ｂのルータ６の経路を辿って通信を実行する。
【００３０】
正常時には、ルータ２では、ＡＴＭ−ＴＡ（ターミナルアダプタ）３にパケットを送信するためにルーティングテーブルで経路情報の検索を行う。パケットの送信先は、イーサネット接続ケーブルＣｂ１が接続される唯一のポートに転送されるため上記の経路となる。
【００３１】
次に、ＡＴＭ専用回線ＬＡに障害が発生した場合、ＡＴＭ−ＴＡ（ターミナルアダプタ）３の通信ルート切換手段５は、ＡＴＭ専用回線ＬＡのレイヤ１監視や、ＯＡＭ（監視）セルのループバックセル監視により、ＡＴＭ網ＮＡの障害を検知（検出）し、搭載したＶ．３５インタフェース側に発呼手順を用いてＩＳＤＮ−ＴＡ（ターミナルアダプタ）７を介してＩＳＤＮ回線ＬＩ（バックアップ回線）を経由した通信ルート（バックアップルート）を確立する。
【００３２】
この時の通信ルートは、拠点Ａのルータ２→イーサネット接続ケーブルＣｂ１→ＡＴＭ−ＴＡ（ターミナルアダプタ）３→Ｖ．３５接続ケーブルＣｂ３→ＩＳＤＮ−ＴＡ（ターミナルアダプタ）７→ＩＳＤＮ回線ＬＩ→ＩＳＤＮ−ＴＡ（ターミナルアダプタ）８→Ｖ．３５接続ケーブルＣｂ４→ＡＴＭ−ＴＡ（ターミナルアダプタ）４→イーサネット接続ケーブルＣｂ２→拠点Ｂのルータ６の経路を辿って通信を実行する。
【００３３】
このように、この発明に係るＡＴＭターミナルアダプタ（ＡＴＭ−ＴＡ３，４）は、ＡＴＭ専用回線ＬＡに発生した障害を検出し、他の回線（ＩＳＤＮ回線ＬＩ）に接続を切り換えて通信ルートをバックアップするとともに、ＡＴＭ専用回線ＬＡの障害の復旧を検出し、通信ルートを他の回線（ＩＳＤＮ回線ＬＩ）からＡＴＭ専用線ＬＡに切り換える通信ルート切換手段５を備えたので、ルータ２，６にシリアルインタフェースなどの高価な付加設備を搭載することなく、ターミナルアダプタ（ＡＴＭ−ＴＡ３，４）内でＩＳＤＮ回線ＬＩ等の他の回線に切り換えてバックアップルートとし、通信ルートを容易に確保することができ、利便性の向上を図ることができる。
【００３４】
図２はこの発明に係るＡＴＭ−ＴＡ（ターミナルアダプタ）の一実施の形態要部ブロック構成図である。なお、ＡＴＭ−ＴＡ（ターミナルアダプタ）は、ＡＴＭ専用回線ＬＡのレイヤ１（物理層）の状態を監視することにより、レイヤ１断などの障害を検出するものである。
【００３５】
図２において、ＡＴＭ−ＴＡ（ターミナルアダプタ）３は、イーサネットインタフェース１０、ＭＡＣ層データ処理手段１１、ＳＡＲ処理手段１２、ＡＴＭインタフェース１３、ＨＤＬＣ制御手段１４、Ｖ．３５インタフェース１５および通信ルート切換手段５を備える。
【００３６】
イーサネットインタフェース１０は、イーサネット端末を接続する。ここでは、ＬＡＮ−１側のルータ２をイーサネット接続ケーブルＣｂ１を介して接続する。
【００３７】
ＭＡＣ（Ｍｅｄｉａ　Ａｃｃｅｓｓ　Ｃｏｎｔｒｏｌ）層データ処理手段１１は、送受信するイーサネットフレームの処理を実行する。ＳＡＲ（Ｓｅｇｍｅｎｔａｔｉｏｎ　Ａｎｄ　Ｒｅａｓｓｅｍｂｌｙ）処理手段１２は、イーサネットインタフェース１０で送受信されるデータをＡＴＭセルに分割するとともに、ＡＴＭセルから元のデータに組み立てる処理を実行する。
【００３８】
ＡＴＭインタフェース１３は、ＡＴＭ網ＮＡに接続するためのインタフェースを取る。ＨＤＬＣ（Ｈｉｇｈ−ｌｅｖｅｌ　Ｄａｔａ　Ｌｉｎｋ　Ｃｏｎｔｒｏｌ）制御手段１４は、Ｖ．３５インタフェース１５で送受信されるＨＤＬＣフレームの処理を実行する。Ｖ．３５インタフェース１５は、Ｖ．３５接続ケーブルＣｂ３を介してＩＳＤＮ−ＴＡ（ターミナルアダプタ）７とのインタフェースを取る。
【００３９】
通信ルート切換手段５は、ルート変更手段１６、レイヤ１監視手段１７、発着信制御手段１８を備える。ルート変更手段１６は、レイヤ１監視手段１７から供給される監視信号（障害検出信号、障害復旧検出信号）に基づいてＶ．３５インタフェース１５にＩＳＤＮ回線ＬＩの接続または切断のための指令信号（接続指令信号、切断指令信号）を供給する。
【００４０】
ルート変更手段１６は、レイヤ１監視手段１７から監視信号（障害検出信号）が供給された場合、Ｖ．３５インタフェースにＩＳＤＮ回線ＬＩを接続するための接続指令信号を供給し、ＡＴＭ専用回線ＬＡを切断してＩＳＤＮ回線ＬＩに接続するように通信ルートを変更する。
【００４１】
また、ルート変更手段１６は、レイヤ１監視手段１７から監視信号（障害復旧検出信号）が供給された場合、Ｖ．３５インタフェースにＩＳＤＮ回線ＬＩの切断のための切断指令信号を供給し、ＩＳＤＮ回線ＬＩを切断してＡＴＭ専用回線ＬＡに接続するように通信ルートを変更する。
【００４２】
レイヤ１監視手段１７は、ＡＴＭインタフェースのレイヤ１（物理層）の障害発生または障害復旧を監視し、監視信号（障害検出信号、障害復旧検出信号）をルート変更手段１６に供給する。発着信制御手段１８は、Ｖ．３５インタフェースにおける発着信の制御を行う。
【００４３】
図３はこの発明に係るＡＴＭ−ＴＡ（ターミナルアダプタ）がＡＴＭ専用回線のレイヤ１障害を検出してバックアップ通信ルートを形成するシーケンス図である。なお、図３は、▲１▼：ＡＴＭ専用回線ＬＡのレイヤ１（物理層）の状態を監視することにより、レイヤ１断などの障害を検出するものである。また、Ｖ．３５インタフェースの発呼手順にＩＴＵ−Ｔ勧告Ｖ．２５ｂｉｓに準拠したダイレクトコール手順を用いた場合のシーケンス図を示す。
【００４４】
図３において、通常、ＡＴＭ−ＴＡ（ターミナルアダプタ）３とＡＴＭ専用回線ＬＡ間のレイヤ１が確立し、ＡＴＭ−ＴＡ（ターミナルアダプタ）４とＡＴＭ専用回線ＬＡ間のレイヤ１が確立してＡＴＭ−ＴＡ３とＡＴＭ−ＴＡ４との間で、ＡＴＭ専用回線ＬＡを介したＡＴＭ専用回線通信が実行される。
【００４５】
この状態で、例えばレイヤ１断の障害が発生すると、ＡＴＭ−ＴＡ３は、レイヤ１断を検出し、Ｖ．３５インタフェースからダイレクトコールの手順を実施する。ＡＴＭ−ＴＡ３からＩＳＤＮ−ＴＡ（ターミナルアダプタ）７にＥＲ＝ＯＮ（端末準備）を送出する。
【００４６】
ＥＲ＝ＯＮ（端末準備）を受け、ＩＳＤＮ−ＴＡ７とＩＳＤＮ回線ＬＩとの間で、「呼設定」−「呼設定受付」−「呼出」−「応答」−「応答確認」の手順を経てＩＳＤＮ−ＴＡ７からＤＲ＝ＯＮ（データセット準備）をＡＴＭ−ＴＡ３が受信する。
【００４７】
ＡＴＭ−ＴＡ３とＩＳＤＮ−ＴＡ７が呼設定、ＩＳＤＮ−ＴＡ７とＩＳＤＮ回線ＬＩが呼設定される。同様に、ＩＳＤＮ回線ＬＩとＩＳＤＮ−ＴＡ８が呼設定、ＩＳＤＮ−ＴＡ８とＡＴＭ−ＴＡ４が呼設定される。この手順により、ルート切替が実行され、ＡＴＭ−ＴＡ３とＡＴＭ−ＴＡ４との間に、ＩＳＤＮ−ＴＡ７→ＩＳＤＮ回線ＬＩ→ＩＳＤＮ−ＴＡ８を経由した通信ルートがバックアップルートとして確立し、ＡＴＭ専用回線通信に代えてＩＳＤＮ回線通信が実行される。
【００４８】
図４はこの発明に係るＡＴＭ−ＴＡ（ターミナルアダプタ）がＡＴＭ専用回線のレイヤ１障害復旧を検出して通常通信ルートに戻るシーケンス図である。図４において、最初に、ＡＴＭ−ＴＡ３とＡＴＭ−ＴＡ４間は、通信ルートがバックアップルートとして確立しており、ＩＳＤＮ回線通信が実行されている。ＩＳＤＮ回線通信は、レイヤ１障害（例えば、レイヤ１断）が継続する限り継続される。
【００４９】
この状態からＡＴＭ専用回線ＬＡのレイヤ１障害が復旧し、レイヤ１が確立（復旧）すると、ＡＴＭ−ＴＡ３およびＡＴＭ−ＴＡ４は、ルート切替を実行してＡＴＭ−ＴＡ３とＡＴＭ−ＴＡ４との間をＡＴＭ専用回線ＬＡで呼接続し、ＩＳＤＮ回線通信に代えてＡＴＭ専用回線通信が実行される。
【００５０】
その後、ＡＴＭ−ＴＡ３およびＡＴＭ−ＴＡ４は、Ｖ．３５インタフェースに切断の手順を実行し、ＩＳＤＮ回線ＬＩを切り離して正常状態に復旧する。
【００５１】
このように、この発明に係る通信ルート切換手段５は、ＡＴＭ専用回線ＬＡのレイヤ１の状態を監視するレイヤ１監視手段１７と、レイヤ１監視手段１７から供給される監視信号に基づいて通信ルートを切り換えるルート変更手段１６とを備えたので、ＡＴＭ専用回線ＬＡの物理層の障害が発生した場合には、ＡＴＭ専用回線ＬＡからＩＳＤＮ回線ＬＩ等の他の回線に切り換えてバックアップルートを構築するとともに、ＡＴＭ専用回線ＬＡの物理層の障害が復旧した場合には、他の回線（ＩＳＤＮ回線ＬＩ）からＡＴＭ専用回線ＬＡに切り換えて通信ルートを正常状態に戻すことができ、通信ルートを常に確保して通信ロスを抑制することができる。
【００５２】
図５はこの発明に係るＡＴＭ−ＴＡ（ターミナルアダプタ）の別実施の形態要部ブロック構成図である。なお、ＡＴＭ−ＴＡ（ターミナルアダプタ）は、ＯＡＭ（監視）セルのループバックセルをＡＴＭ専用回線ＬＡに送信し、戻ってくるループバックセルが検出できない場合に、ＡＴＭ専用回線ＬＡのレイヤ１障害なども含む障害として検出するものである。
【００５３】
図５において、ＡＴＭ−ＴＡ（ターミナルアダプタ）３は、イーサネットインタフェース１０、ＭＡＣ層データ処理手段１１、ＳＡＲ処理手段１２、ＡＴＭインタフェース１３、ＨＤＬＣ制御手段１４、Ｖ．３５インタフェース１５および通信ルート切換手段９を備える。なお、通信ルート切換手段９を除く構成は、図２に示すものと同じなので説明を省略し、通信ルート切換手段９について説明する。
【００５４】
通信ルート切換手段９は、発着信制御手段１８、ＯＡＭセル監視手段１９、ルート変更手段２０を備える。発着信制御手段１８は、Ｖ．３５インタフェースにおける発着信の制御を行う。
【００５５】
ＯＡＭセル監視手段１９は、ＯＡＭ（監視）セルを発生し、ＳＡＲ処理手段１２、ＡＴＭインタフェース１３を介してＡＴＭ専用回線ＬＡに送信する。
【００５６】
また、ＯＡＭセル監視手段１９は、ＡＴＭ専用回線ＬＡから戻ってくるＯＡＭ（監視）セルを監視し、監視信号をルート変更手段２０に供給する。ＯＡＭ（監視）セルには、ループバックセルとループ切替セルがある。
【００５７】
ＯＡＭセル監視手段１９は、ループバックセルをＡＴＭ専用回線ＬＡに送信し、ＡＴＭ専用回線ＬＡからのループバックセルを受信（検出）した場合には、ＡＴＭ専用回線ＬＡに障害がないと判定し、監視信号（正常指令）をルート変更手段２０に供給する。
【００５８】
一方、ＯＡＭセル監視手段１９は、ＡＴＭ専用回線ＬＡからのループバックセルを一定時間受信（検出）できない場合には、監視信号（異常指令）をルート変更手段２０に供給する。
【００５９】
また、ＯＡＭセル監視手段１９は、ＡＴＭ専用回線ＬＡが障害状態から復旧した状態で、ループバックセルを受信（検出）した場合には、切替信号をルート変更手段２０に供給するとともに、ＡＴＭ専用回線ＬＡにルート切替セルを送信し、ＡＴＭ−ＴＡ４の通信ルートをＡＴＭ専用回線ＬＡに切り換えさせる。
【００６０】
ルート変更手段２０は、ＯＡＭセル監視手段１９から監視信号（正常指令）が供給された場合、通信ルートをＡＴＭ専用回線ＬＡに保つ。
【００６１】
一方、ルート変更手段２０は、ＯＡＭセル監視手段１９から監視信号（異常指令）が供給された場合、Ｖ．３５インタフェースにＩＳＤＮ回線ＬＩを接続するための接続指令信号を供給し、ＡＴＭ専用回線ＬＡを切断してＩＳＤＮ回線ＬＩに接続するように通信ルートを変更する。
【００６２】
また、ルート変更手段２０は、ＯＡＭセル監視手段１９から切替信号が供給された場合、Ｖ．３５インタフェース１５にＩＳＤＮ回線ＬＩの切断のための切断指令信号を供給し、ＩＳＤＮ回線ＬＩを切断してＡＴＭ専用回線ＬＡに接続するように通信ルートを変更する。
【００６３】
図６はこの発明に係るＡＴＭ−ＴＡ（ターミナルアダプタ）がＡＴＭ専用回線の障害を検出してバックアップ通信ルートを形成するシーケンス図である。なお、図６は、▲２▼：ＯＡＭ（監視）セルのループバックセルをＡＴＭ専用回線ＬＡに送信し、戻ってくるループバックセルが検出できない場合に、ＡＴＭ専用回線ＬＡのレイヤ１障害なども含む障害として検出するものである。また、Ｖ．３５インタフェースの発呼手順にＩＴＵ−Ｔ勧告Ｖ．２５ｂｉｓに準拠したダイレクトコール手順を用いた場合のシーケンス図を示す。
【００６４】
図６において、通常、ＡＴＭ−ＴＡ（ターミナルアダプタ）３とＡＴＭ専用回線ＬＡ間のレイヤ１が確立し、ＡＴＭ−ＴＡ（ターミナルアダプタ）４とＡＴＭ専用回線ＬＡ間のレイヤ１が確立してＡＴＭ−ＴＡ３とＡＴＭ−ＴＡ４との間で、ＡＴＭ専用回線ＬＡを介したＡＴＭ専用回線通信が実行される。
【００６５】
この状態で、ＡＴＭ網ＮＡ内に障害が発生し、定期的に送信しているループバックセルが一定時間経過しても受信（検出）できない（タイムアウト）場合、ＡＴＭ−ＴＡ３は、ＡＴＭ網ＮＡ内の障害を検出し、Ｖ．３５インタフェースからダイレクトコールの手順を実施する。
【００６６】
図中の手順により、ＡＴＭ−ＴＡ３は、ＩＳＤＮ回線ＬＩで呼設定を実行し、ＡＴＭ−ＴＡ４との間にバックアップルートを設定し、ＤＲをＯＮ（ＤＲ＝ＯＮ：データセット準備）にする。
【００６７】
ＡＴＭ−ＴＡ３およびＡＴＭ−ＴＡ４は、ＤＲ＝ＯＮを受け、バックアップルートが設定されたことを認識してルート切替を行い、以降、ＩＳＤＮ回線ＬＩによるＩＳＤＮ回線通信を行う。
【００６８】
図７はこの発明に係るＡＴＭ−ＴＡ（ターミナルアダプタ）がＡＴＭ専用回線の障害復旧を検出して通常通信ルートに戻るシーケンス図である。図７において、最初に、ＡＴＭ−ＴＡ３とＡＴＭ−ＡＴＭ−ＴＡ４間は、通信ルートがバックアップルートとして確立しており、ＩＳＤＮ回線通信が実行されている。ＩＳＤＮ回線通信は、ループバックセルが検出されない限り継続される。
【００６９】
この状態からＡＴＭ網ＮＡの障害が復旧し、ＡＴＭ−ＴＡ３がループバックセルを受信（検出）すると、ＡＴＭ−ＴＡ３は、ＡＴＭ−ＴＡ４にルート切替セルを送信する。
【００７０】
また、ＡＴＭ−ＴＡ３は、Ｖ．３５インタフェースに図に示す切断の手順を実行し、ＡＴＭ専用回線ＬＡへ通信ルート切り換えてＡＴＭ専用回線通信（正常状態）に戻る。
【００７１】
一方、ＡＴＭ−ＴＡ４は、ＡＴＭ−ＴＡ３からのルート切替セルを受信すると、通信ルートをＡＴＭ専用回線ＬＡに切り換え、ＡＴＭ専用回線通信（正常状態）に戻る。
【００７２】
このように、この発明に係る通信ルート切換手段９は、ＡＴＭ専用回線ＬＡにＯＡＭ（監視）セルを送信し、受信するＯＡＭセル監視手段１９と、ＯＡＭセル監視手段１９から供給される監視信号に基づいて通信ルートを切り換えるルート変更手段２０とを備えたので、ＡＴＭ専用回線ＬＡの物理層または物理層以外の障害が発生した場合には、ＡＴＭ専用回線ＬＡからＩＳＤＮ回線ＬＩ等の他の回線に切り換えてバックアップルートを構築するとともに、ＡＴＭ専用回線ＬＡの障害が復旧した場合には、他の回線（ＩＳＤＮ回線ＬＩ）からＡＴＭ専用回線ＬＡに切り換えて通信ルートを正常状態に戻すことができ、通信ルートを常に確保して通信ロスを抑制することができる。
【００７３】
また、この発明に係るＯＡＭセル監視手段１９は、ループバックセルをＡＴＭ専用回線ＬＡに送信し、ＡＴＭ専用回線ＬＡからループバックセルを受信できない場合には、ＡＴＭ専用回線ＬＡの障害を検出して監視信号（異常指令）をルート変更手段２０に供給するので、ループバックするループバックセルの有無に基づいてＡＴＭ専用回線ＬＡの障害を検出し、他の回線（ＩＳＤＮ回線ＬＩ）
に切り換えてバックアップ回線を構築することができ、通信ルートを容易に確保することができる。
【００７４】
さらに、この発明に係るＯＡＭセル監視手段１９は、ルート切替セルをＡＴＭ専用回線ＬＡに送信した後、通信ルートをＡＴＭ専用回線ＬＡに切り換える切替信号をルート変更手段２０に供給するので、ＡＴＭ専用回線ＬＡの障害が復旧した場合には、ルート切替セルを送信後、直ちに他の回線（ＩＳＤＮ回線ＬＩ）からＡＴＭ専用回線ＬＡに切り換えることができ、通信ルートを容易に復旧することができる。
【００７５】
なお、本実施の形態では、ＡＴＭ専用回線ＬＡの障害発生または障害復旧の検出に、図２に示す通信ルート切換手段５のレイヤ１監視手段１７、図５に示す通信ルート切換手段９のＯＡＭセル監視手段１９を採用したが、レイヤ１監視手段１７とＯＡＭセル監視手段１９を併せた構成にしてもよい。
【００７６】
また、他の回線としてＩＳＤＮ回線ＬＩを採用したが、データ通信が可能な回線であればよい。さらに、Ｖ．３５インタフェースを採用したが、これに準拠するインタフェースであればよい。
【００７７】
次に、ＡＴＭターミナルアダプタの通信ルートバックアップ方法について説明する。図８はこの発明に係るＡＴＭターミナルアダプタの通信ルートバックアップ方法の一実施の形態要部動作フロー図である。なお、図１、図２を参照して説明する。
【００７８】
ステップＳ１では、ＡＴＭ専用回線の障害を検出する。なお、ステップＳ１の動作は、通信ルート切換手段５のレイヤ１監視手段１７が実行する。
【００７９】
ステップＳ２では、通信ルートを他の回線に切り換える。なお、ステップＳ２の動作は、通信ルート切換手段５のルート変更手段１６が実行する。
【００８０】
ステップＳ３では、他の回線で通信する。なお、ステップＳ３の動作は、ＡＴＭ−ＴＡ３、ＩＳＤＮ−ＴＡ７、ＩＳＤＮ−ＴＡ８およびＡＴＭ−ＴＡ４が実行する。
【００８１】
ステップＳ４では、ＡＴＭ専用回線の障害が復旧したか否かを判定し、復旧した場合にはステップＳ５に移行する。一方、復旧しない場合にはステップＳ３に戻る。なお、ステップＳ４の動作は、レイヤ１監視手段１７が実行する。
【００８２】
ステップＳ５では、障害の復旧を検出する。なお、ステップＳ５の動作は、レイヤ１監視手段１７が実行する。
【００８３】
ステップＳ６では、通信ルートをＡＴＭ専用回線に切り換える。なお、ステップＳ６の動作は、ルート変更手段１６が実行する。
【００８４】
このように、この発明に係るＡＴＭターミナルアダプタの通信ルートバックアップ方法は、ＡＴＭ専用回線の障害を検出するステップＳ１と、通信ルートを他の回線に切り換えるステップＳ２と、他の回線で通信するステップＳ３と、ＡＴＭ専用回線の障害が復旧したか否かを判定するステップＳ４と、障害の復旧を検出するステップＳ５と、通信ルートをＡＴＭ専用回線に切り換えるステップＳ６とを備えたので、ＡＴＭ専用回線の障害時に、通信ルートをＡＴＭ専用回線から他の回線に切り換えてバックアップ回線とし、通信ルートを確保するとともに、ＡＴＭ専用回線の復旧時に、バックアップ回線（他の回線）からＡＴＭ専用回線に切り換えて通信ルートを正常にすることができ、通信ルートを容易に確保して利便性の向上を図ることができる。
【００８５】
図９はこの発明に係るＡＴＭターミナルアダプタの通信ルートバックアップ方法の別実施の形態要部動作フロー図である。なお、図１、図５を参照して説明する。
【００８６】
ステップＰ１では、ＡＴＭ専用回線にループバックセルを送信する。なお、ステップＰ１の動作は、ＯＡＭセル監視手段１９が実行する。
【００８７】
ステップＰ２では、ループバックセルが受信されたか否かを判定し、受信された場合にはステップＰ１に戻る。一方、受信されない場合にはステップＰ３に移行する。なお、ステップＰ２の動作は、ＯＡＭセル監視手段１９が実行する。
【００８８】
ステップＰ３では、一定時間経過後、通信ルートを他の回線に切り換える。なお、ステップＰ３の動作は、ルート変更手段２０が実行する。
【００８９】
ステップＰ４では、他の回線で通信する。なお、ステップＰ４の動作は、ＡＴＭ−ＴＡ３、ＩＳＤＮ−ＴＡ７、ＩＳＤＮ−ＴＡ８およびＡＴＭ−ＴＡ４が実行する。
【００９０】
ステップＰ５では、ループバックセルが受信されたか否かを判定し、受信された場合にはステップＰ６に移行する。一方、受信されない場合にはステップＰ４に戻る。なお、ステップＰ５の動作は、ＯＡＭセル監視手段１９が実行する。
【００９１】
ステップＰ６では、ルート切替セルを送信して通信ルートをＡＴＭ専用線に切り換える。なお、ステップＰ６の動作は、ＯＡＭセル監視手段１９およびルート変更手段２０が実行する。
【００９２】
このように、この発明に係るＡＴＭターミナルアダプタの通信ルートバックアップ方法は、ＡＴＭ専用回線にループバックセルを送信するステップＰ１と、ループバックセルが受信されたか否かを判定するステップＰ２と、一定時間経過後、通信ルートを他の回線に切り換えるステップＰ３と、他の回線で通信するステップＰ４と、ループバックセルが受信されたか否かを判定するステップＰ５と、ルート切替セルを送信して通信ルートをＡＴＭ専用線に切り換えるステップＰ６とを備えたので、ループバックセルによりＡＴＭ専用回線の障害または復旧を検出し、ルート切換セルによりＡＴＭ専用回線に切り換えることができ、通信ルートを容易に確保して利便性の向上を図ることができる。
【００９３】
【発明の効果】
以上説明したように、この発明に係るＡＴＭターミナルアダプタは、ＡＴＭ専用回線に発生した障害を検出し、他の回線に接続を切り換えて通信ルートをバックアップするとともに、ＡＴＭ専用回線の障害の復旧を検出し、通信ルートを他の回線からＡＴＭ専用線に切り換える通信ルート切換手段を備えたので、ルータにシリアルインタフェースなどの高価な付加設備を搭載することなく、ターミナルアダプタ内でＩＳＤＮ回線等の他の回線に切り換えてバックアップルートとし、通信ルートを容易に確保することができ、利便性の向上を図ることができる。
【００９４】
また、この発明に係る通信ルート切換手段は、ＡＴＭ専用回線のレイヤ１の状態を監視するレイヤ１監視手段と、レイヤ１監視手段から供給される監視信号に基づいて通信ルートを切り換えるルート変更手段とを備えたので、ＡＴＭ専用回線の物理層の障害が発生した場合には、ＡＴＭ専用回線からＩＳＤＮ回線等の他の回線に切り換えてバックアップルートを構築するとともに、ＡＴＭ専用回線の物理層の障害が復旧した場合には、他の回線からＡＴＭ専用回線に切り換えて通信ルートを正常状態に戻すことができ、通信ルートを常に確保して通信ロスを抑制することができる。
【００９５】
さらに、この発明に係る通信ルート切換手段は、ＡＴＭ専用回線にＯＡＭ（監視）セルを送信し、受信するＯＡＭセル監視手段と、ＯＡＭセル監視手段から供給される監視信号に基づいて通信ルートを切り換えるルート変更手段とを備えたので、ＡＴＭ専用回線の物理層または物理層以外の障害が発生した場合には、ＡＴＭ専用回線からＩＳＤＮ回線等の他の回線に切り換えてバックアップルートを構築するとともに、ＡＴＭ専用回線の障害が復旧した場合には、他の回線からＡＴＭ専用回線に切り換えて通信ルートを正常状態に戻すことができ、通信ルートを常に確保して通信ロスを抑制することができる。
【００９６】
また、この発明に係るＯＡＭセル監視手段は、ループバックセルをＡＴＭ専用回線に送信し、ＡＴＭ専用回線からループバックセルを受信できない場合には、ＡＴＭ専用回線の障害を検出して監視信号をルート変更手段に供給するので、ループバックするループバックセルの有無に基づいてＡＴＭ専用回線の障害を検出し、他の回線に切り換えてバックアップ回線を構築することができ、通信ルートを容易に確保することができる。
【００９７】
さらに、この発明に係るＯＡＭセル監視手段は、ルート切替セルをＡＴＭ専用回線に送信した後、通信ルートをＡＴＭ専用回線に切り換える切替信号をルート変更手段に供給するので、ＡＴＭ専用回線の障害が復旧した場合には、ルート切替セルを送信後、直ちに他の回線からＡＴＭ専用回線に切り換えることができ、通信ルートを容易に復旧することができる。
【００９８】
また、この発明に係るＡＴＭターミナルアダプタの通信ルートバックアップ方法は、ＡＴＭ専用回線の障害を検出するステップ（Ｓ１）と、通信ルートを他の回線に切り換えるステップ（Ｓ２）と、他の回線で通信するステップ（Ｓ３）と、ＡＴＭ専用回線の障害が復旧したか否かを判定するステップ（Ｓ４）と、障害の復旧を検出するステップ（Ｓ５）と、通信ルートをＡＴＭ専用回線に切り換えるステップ（Ｓ６）とを備えたので、ＡＴＭ専用回線の障害時に、通信ルートをＡＴＭ専用回線から他の回線に切り換えてバックアップ回線とし、通信ルートを確保するとともに、ＡＴＭ専用回線の復旧時に、バックアップ回線（他の回線）からＡＴＭ専用回線に切り換えて通信ルートを正常にすることができ、通信ルートを容易に確保して利便性の向上を図ることができる。
【００９９】
さらに、この発明に係るＡＴＭターミナルアダプタの通信ルートバックアップ方法は、ＬＡＮに接続されたルータとイーサネット接続ケーブルを介してＡＴＭ専用回線に接続されたＡＴＭターミナルアダプタの通信ルートバックアップ方法であって、ＡＴＭ専用回線にループバックセルを送信するステップ（Ｐ１）と、ループバックセルが受信されたか否かを判定するステップ（Ｐ２）と、一定時間経過後、通信ルートを他の回線に切り換えるステップ（Ｐ３）と、他の回線で通信するステップ（Ｐ４）と、ループバックセルが受信されたか否かを判定するステップ（Ｐ５）と、ルート切替セルを送信して通信ルートをＡＴＭ専用線に切り換えるステップ（Ｐ６）とを備えたので、ループバックセルによりＡＴＭ専用回線の障害または復旧を検出し、ルート切換セルによりＡＴＭ専用回線に切り換えることができ、通信ルートを容易に確保して利便性の向上を図ることができる。
【図面の簡単な説明】
【図１】この発明に係るＡＴＭターミナルアダプタが適用される回線バックアップシステムの全体構成図
【図２】この発明に係るＡＴＭ−ＴＡ（ターミナルアダプタ）の一実施の形態要部ブロック構成図
【図３】この発明に係るＡＴＭ−ＴＡ（ターミナルアダプタ）がＡＴＭ専用回線のレイヤ１障害を検出してバックアップ通信ルートを形成するシーケンス図
【図４】この発明に係るＡＴＭ−ＴＡ（ターミナルアダプタ）がＡＴＭ専用回線のレイヤ１障害復旧を検出して通常通信ルートに戻るシーケンス図
【図５】この発明に係るＡＴＭ−ＴＡ（ターミナルアダプタ）の別実施の形態要部ブロック構成図
【図６】この発明に係るＡＴＭ−ＴＡ（ターミナルアダプタ）がＡＴＭ専用回線の障害を検出してバックアップ通信ルートを形成するシーケンス図
【図７】この発明に係るＡＴＭ−ＴＡ（ターミナルアダプタ）がＡＴＭ専用回線の障害復旧を検出して通常通信ルートに戻るシーケンス図
【図８】この発明に係るＡＴＭターミナルアダプタの通信ルートバックアップ方法の一実施の形態要部動作フロー図
【図９】この発明に係るＡＴＭターミナルアダプタの通信ルートバックアップ方法の別実施の形態要部動作フロー図
【図１０】従来のＡＴＭ専用回線の回線バックアップシステムの構成図
【符号の説明】
１　回線バックアップシステム
２，６　ルータ
３，４　ＡＴＭ−ＴＡ（ターミナルアダプタ）
５，９　通信ルート切換手段
７，８　ＩＳＤＮ−ＴＡ（ターミナルアダプタ）
１０　イーサネットインタフェース
１１　ＭＡＣ層データ処理手段
１２　ＳＡＲ処理手段
１３　ＡＴＭインタフェース
１４　ＨＤＬＣ制御手段
１５　Ｖ．３５インタフェース
１６，２０　ルート変更手段
１７　レイヤ１監視手段
１８　発着信制御手段
１９　ＯＡＭセル監視手段
Ｃｂ１，Ｃｂ２　イーサネット接続ケーブル
Ｃｂ３．Ｃｂ４　Ｖ．３５接続ケーブル
ＮＡ　　ＡＴＭ網
ＬＡ　　ＡＴＭ専用回線
ＮＩ　　ＩＳＤＮ網
ＬＩ　　ＩＳＤＮ回線
【図１】
2004096480.tif 000003
【図２】
2004096480.tif 000004
【図３】
2004096480.tif 000005
【図４】
2004096480.tif 000006
【図５】
2004096480.tif 000007
【図６】
2004096480.tif 000008
【図７】
2004096480.tif 000009
【図８】
2004096480.tif 000010
【図９】
2004096480.tif 000011
【図１０】
2004096480.tif 000012